(57)【要約】      （修正有）【課題】電子機器の入力装置として使われた際に、入力装置の機能を損なうことなく、例えば、ラップトップＰＣのキーボード部やパームレスト部のカバーパネルを容易に交換することができる静電容量式入力装置を提供する。【解決手段】筐体ＨＵとカバー部材ＣＯとを分離可能な電子機器ＳＥに取り付けられ、操作者が入力操作可能な操作面１ａを備えた操作部材１と、操作面１ａに対する入力操作に応じた静電容量値を検出する検出面２ａを有するセンサ部材２と、検出信号に基づいて電子機器ＳＥを制御する制御部３とを備える。操作面１ａの裏面と検出面２ａとが対向する様に配置するとともに、操作面１ａが電子機器ＳＥのカバー部材ＣＯの外表面から露出するように操作部材１をカバー部材ＣＯに取り付け、センサ部材２は、操作部材１から離間した状態で筐体ＨＵに配置され、操作部材１はカバー部材ＣＯとともにセンサ部材２から分離可能である構造とした。【選択図】図１
2013167939.tif 000002
【特許請求の範囲】
【請求項１】
筐体を覆うカバー部材を有する電子機器に取り付けられ、
操作者が入力操作可能な操作面を備えた操作部材と、
前記操作面に対する入力操作に応じた静電容量値を検出する検出面を有し、検出した静電容量値に応じた検出信号を出力可能なセンサ部材と、
前記検出信号に基づいて前記電子機器を制御する制御部を備え、
前記操作部材の前記操作面を備えた面の裏面と、前記センサ部材の前記検出面とが対向して配置された静電容量式入力装置において、
前記操作部材は、前記操作面を前記電子機器のカバー部材の外表面から露出して前記カバー部材に取り付けられ、
前記センサ部材は、前記操作部材から離間した状態で前記筐体に配置され、
前記操作部材は前記カバー部材とともに前記センサ部材から分離可能であることを特徴とする静電容量式入力装置。
【請求項２】
前記センサ部材は、前記検出面に積層して設けられたオーバーレイ部材を備えるとともに、前記オーバーレイ部材と前記操作部材とは離間していることを特徴とする請求項１に記載の静電容量式入力装置。
【請求項３】
前記オーバーレイ部材と前記操作部材との間に柔軟性を備えた柔軟部材を配設し、該柔軟部材が前記オーバーレイ部材と前記操作部材とに接触することを特徴とする請求項２に記載の静電容量式入力装置。
【請求項４】
前記センサ部材と前記操作部材との間に柔軟性を備えた柔軟部材を配設し、該柔軟部材が前記センサ部材と前記操作部材とに接触することを特徴とする請求項１に記載の静電容量式入力装置。
【請求項５】
前記オーバーレイ部材の厚さ寸法は均一であることを特徴とする請求項２または請求項３のいずれかに記載の静電容量式入力装置。
【請求項６】
前記柔軟部材はゲル状の材料で形成されていることを特徴とする請求項３または請求項４のいずれかに記載の静電容量式入力装置。
【発明の詳細な説明】
【技術分野】
【０００１】
本発明は、静電容量式入力装置に関し、特に、ラップトップ型パーソナルコンピュータ（以下、ラップトップパソコンとする）や携帯電話をはじめとした各種電子機器の入力装置として使われた際に、例えば、入力装置の機能を損なうことなく、ラップトップパソコンのキーボード部のカバーパネルを容易に交換することができる静電容量式入力装置に関するものである。
【背景技術】
【０００２】
ラップトップパソコンには、例えば、タッチパッドと呼ばれる静電容量式入力装置が備え付けられ、カーソルの移動や画面のスクロールなどの操作の入力に用いられている。昨今、ラップトップパソコンユーザーから、ラップトップパソコンのキーボード部やパームレスト部のカバーパネル等を、好みのデザインのものに、ラップトップパソコンのユーザー自身で交換したいというニーズがある。このようなニーズにより、入力装置の機能を損なうことなく、カバーパネルをユーザー自身が容易に交換しやすい静電容量式入力装置が求められている。
【０００３】
従来の静電容量式入力装置としては、下記の特許文献１に記載の静電容量式入力装置が知られている。
【０００４】
以下、図８を用いて、特許文献１に記載の静電容量式入力装置について説明する。図８は、特許文献１に記載の静電容量式入力装置ＰＤ１を示す図である。
【０００５】
特許文献１に記載の静電容量式入力装置ＰＤ１は、図８に示すように、第１のフィルム基板ｆｂ１と第２のフィルム基板ｆｂ２を折曲部ＢＥを介して接続して形成した絶縁性を有する合成樹脂からなるフィルム基板ＦＢの表面にＹ電極層ＥＹが形成され、Ｙ電極層ＥＹには積層して絶縁性樹脂からなる絶縁膜ＩＮが形成されている。また、フィルム基板ＦＢは折曲部ＢＥの部分で折り曲げられ、第１のフィルム基板ｆｂ１の裏面と第２のフィルム基板ｆｂ２の裏面とが粘着剤などによって接着されている。
【０００６】
第１のフィルム基板ｆｂ１に設けられた絶縁膜ＩＮの上にはＸ電極層ＥＸが積層して設けられており、Ｘ電極層ＥＸの上には外部から操作を受ける表面シートＦＳが接着剤などによって接着されている。表面シートＦＳに接触して操作されることで、変化するＸ電極層ＥＸおよびＹ電極層ＥＹの静電容量を検知し、どのような操作を受けたかを判断することで入力可能な入力装置である。静電容量式入力装置ＰＤ１は、ラップトップパソコンなどの電子機器に取り付けられる際には、電子機器のカバーパネルから表面シートＦＳを露出させた状態で、電子機器のカバーパネル側に直接取り付けられる。
【先行技術文献】
【特許文献】
【０００７】
【特許文献１】特許第４１６３０５４号公報
【発明の概要】
【発明が解決しようとする課題】
【０００８】
しかしながら、静電容量式入力装置ＰＤ１は、取り付けられた電子機器のカバーパネル側に直接取り付けられる。そのため、ユーザーが好みにあわせてカバーパネルＣＰを交換しようとした時に、カバーパネルＣＰとともに静電容量式入力装置ＰＤ１が外れてしまい、入力装置としての機能が損なわれてしまう。
【０００９】
本発明は、上述した課題を解決して、電子機器の入力装置として使われた際に、入力装置の機能を損なうことなく、例えば、ラップトップパソコンのキーボード部やパームレスト部のカバーパネルを容易に交換することができる静電容量式入力装置を提供するものである。
【課題を解決するための手段】
【００１０】
請求項１に記載の静電容量式入力装置は、筐体を覆うカバー部材を有する電子機器に取り付けられ、操作者が入力操作可能な操作面を備えた操作部材と、前記操作面に対する入力操作に応じた静電容量値を検出する検出面を有し、検出した静電容量値に応じた検出信号を出力可能なセンサ部材と、前記検出信号に基づいて前記電子機器を制御する制御部を備え、前記操作部材の前記操作面を備えた面の裏面と、前記センサ部材の前記検出面とが対向して配置された静電容量式入力装置において、前記操作部材は、前記操作面を前記電子機器のカバー部材の外表面から露出して前記カバー部材に取り付けられ、前記センサ部材は、前記操作部材から離間した状態で前記筐体に配置され、前記操作部材は前記カバー部材とともに前記センサ部材から分離可能である、という特徴を有する。
【００１１】
請求項２に記載の静電容量式入力装置は、前記センサ部材は、前記検出面に積層して設けられたオーバーレイ部材を備えるとともに、前記オーバーレイ部材と前記操作部材とは離間している、という特徴を有する。
【００１２】
請求項３に記載の静電容量式入力装置は、前記オーバーレイ部材と前記操作部材との間に柔軟性を備えた柔軟部材を配設し、該柔軟部材が前記オーバーレイ部材と前記操作部材とに接触する、という特徴を有する。
【００１３】
請求項４に記載の静電容量式入力装置は、前記センサ部材と前記操作部材との間に柔軟性を備えた柔軟部材を配設し、該柔軟部材が前記センサ部材と前記操作部材とに接触する、という特徴を有する。
【００１４】
請求項５に記載の静電容量式入力装置は、前記オーバーレイ部材の厚さ寸法は均一である、という特徴を有する。
【００１５】
請求項６に記載の静電容量式入力装置は、前記柔軟部材はゲル状の材料で形成されている、という特徴を有する。
【発明の効果】
【００１６】
請求項１の発明によれば、操作部材を電子機器のカバー部材とともにセンサ部材から分離可能としたことで、電子機器に組み込まれた後に、電子機器に元々ついていたカバー部材を、例えば、別の操作部材が取り付けられた好みのデザインのカバー部材へ、静電容量式入力装置の機能を損なうことなく、ユーザー自身が容易に交換可能とすることができる静電容量式入力装置を提供することができるという効果を奏する。
【００１７】
請求項２の発明によれば、静電容量値は空気の層の中では外部からの影響を受けて変動しやすいが、検出面に積層してオーバーレイ部材を配置することで、操作部材と検出面との間の空気の層が小さくなるとともに、オーバーレイ部材の内部では静電容量値は外部からの影響を受け難くなるため、外部からの影響による静電容量値の変動が小さくなり、より安定した入力操作が可能になる、という効果を奏する。
【００１８】
請求項３の発明によれば、柔軟性を備えた柔軟部材をオーバーレイ部材と操作部材との間に、オーバーレイ部材と操作部材とに接触して配置することで、オーバーレイ部材と操作部材との間に空気の層がなくなるとともに、柔軟部材は入力操作による操作部材の撓みなどに対しても変形して追従することで、過大な押圧力がセンサ部材に伝わらないため、操作性を妨げることなくさらに安定した入力操作が可能になる、という効果を奏する。
【００１９】
請求項４の発明によれば、柔軟性を備えた柔軟部材をセンサ部材と操作部材との間に、センサ部材と操作部材とに接触して配置することで、センサ部材と操作部材との間に空気の層がなくなるとともに、柔軟部材は入力操作による操作部材の撓みなどに対しても変形して追従することで、過大な押圧力がセンサ部材に伝わらないため、操作性を妨げることなくより安定した入力操作が可能になる、という効果を奏する。
【００２０】
請求項５の発明によれば、オーバーレイ部材の厚さ寸法を均一にすることで、操作位置の違いによる操作部材とオーバーレイ部材との間にある空気の層の厚さ寸法のバラツキが小さくなり、より安定した入力操作が可能になる、という効果を奏する。
【００２１】
請求項６の発明によれば、ゲル状の材料で形成することで柔軟部材は粘着性を有し、その粘着性によって保持されるとともに、容易に剥がすことができ操作部材の分離を妨げない、という効果を奏する。
【００２２】
以上より、本発明によれば、電子機器の入力装置として使われた際に、入力装置の機能を損なうことなく、例えば、ラップトップパソコンのキーボード部のカバーパネルを容易に交換することができる静電容量式入力装置を提供することができる。
【図面の簡単な説明】
【００２３】
【図１】第１実施形態の静電容量式入力装置１００を示す図である。
【図２】電子機器ＳＥのカバー部材ＣＯ１が筐体ＨＵから分離した状態を示す図である。
【図３】操作体ＦＩがセンサ部材２に近づいたときに生成される静電容量を示す概念図である。
【図４】第２実施形態の静電容量式入力装置２００を示す図である。
【図５】第３実施形態の静電容量式入力装置３００を示す図である。
【図６】オーバーレイ部材４の板厚寸法ｔの違いによる出力のバラツキの違いを示すグラフである。
【図７】カバー部材ＣＯ１を異なるデザインのカバー部材ＣＯ２に交換した状態を示す図である。
【図８】特許文献１に記載の静電容量式入力装置ＰＤ１を示す図である。
【発明を実施するための形態】
【００２４】
［第１実施形態］
以下に第１実施形態における静電容量式入力装置１００について説明する。
【００２５】
はじめに本実施形態における静電容量式入力装置１００の構成について図１を用いて説明する。図１は静電容量式入力装置１００を示す図である。
【００２６】
静電容量式入力装置１００は、図１に示すように、操作者が入力操作可能な操作面１ａを備えた操作部材１と、操作面１ａに対する入力操作に応じた静電容量値を検出する検出面２ａを有し、検出した静電容量値に応じた検出信号を出力可能なセンサ部材２と、検出信号に基づいて電子機器ＳＥを制御する制御部３と、センサ部材２の検出精度を安定させるオーバーレイ部材４を有している。
【００２７】
操作部材１は、合成樹脂からなり平板状に形成され、一方の面に操作者からの操作を受ける操作面１ａを有する。
【００２８】
センサ部材２は、平板状に形成され、一方の面に静電容量値を検出可能な検出面２ａを有する。また、センサ部材２の内部には、図示しない複数のＸ軸電極線２ｂと図示しない複数のＹ軸電極線２ｃとが埋設されており、Ｘ軸電極線２ｂは検出面２ａに平行な面上に複数本が平行かつ等間隔に配置され、Ｙ軸電極線２ｃはＸ軸電極線２ｂが配置された平面とは異なる検出面２ａに平行な面上に複数本が平行かつ等間隔に配置されている。なお、Ｘ軸電極線２ｂとＸ軸電極線２ｂとは、検出面２ａ側から平面視したときに、直交するように配置されている。また、センサ部材２は、検出面２ａが検出した静電容量値に応じた検出信号を発信するＩＣ（Ｉｎｔｅｇｒａｔｅｄ  Ｃｉｒｃｕｉｔ）（図示せず）を備えている。
【００２９】
制御部３は、センサ部材２が発信した検出信号に基づいて、取り付けられた電子機器ＳＥの制御を行なうＩＣ（図示せず）を備えている。
【００３０】
オーバーレイ部材４は、合成樹脂材からなり厚さ寸法が均一な平板形状に形成されている。
【００３１】
次に静電容量式入力装置１００の構造について、図１および図２を用いて説明する。図２は電子機器ＳＥのカバー部材ＣＯ１が筐体ＨＵから分離した状態を示す図である。
【００３２】
静電容量式入力装置１００は、操作部材１とセンサ部材２とが、操作部材１の操作面１ａを備えた面の裏面とセンサ部材２の検出面２ａとを対向させて配置されている。また、操作部材１は、センサ部材２の機能を損なうことなく（センサ部材２と電子機器ＳＥとの電気的接続を切ることなく）センサ部材２から分離可能である。
【００３３】
オーバーレイ部材４は、センサ部材２の検出面２ａに積層して設けられており、粘着テープなどにより保持されている。また、このとき、オーバーレイ部材４と操作部材１とは離間している。
【００３４】
また、制御部３はセンサ部材２に並べて配置されるとともに、センサ部材２と制御部３とは検出信号を通信することが可能となるように接続されている。
【００３５】
なお、静電容量式入力装置１００は、筐体ＨＵとカバー部材ＣＯ１とを分離可能な電子機器ＳＥに取り付けて使用される。このとき、操作部材１は、操作面１ａを電子機器ＳＥのカバー部材ＣＯ１の外表面ＯＦから露出してカバー部材ＣＯ１に取り付けられ、センサ部材２は、操作部材１から離間した状態で筐体ＨＵに配置されている。また、図２に示すように、操作部材１はカバー部材ＣＯ１とともにセンサ部材２から分離可能であり、制御部３はセンサ部材２とともに筐体ＨＵに配置される。
【００３６】
次に、静電容量式入力装置１００の動作について図３を用いて説明する。図３は操作体ＦＩがセンサ部材２に近づいたときに生成される静電容量を示す概念図である。図３においては、説明を容易にするために、操作体ＦＩとセンサ部材２に埋設された一組のＸ軸電極線２ｂとＹ軸電極線２ｃとの組み合わせのみを記載する。なお、操作者の指先などの操作体ＦＩが操作面１ａに近づいた場合でも、操作体ＦＩが操作面１ａに接触した場合でも同じ動作となるため、以降では操作体ＦＩなどが操作面１ａに近づいた場合について説明する。
【００３７】
静電容量式入力装置１００は、操作面１ａを操作されたとき、操作面１ａ上の操作された位置を、異なる二つの座標軸、例えば、Ｘ座標とＹ座標のデータとして検出し、検出結果に基づいて電子機器ＳＥを制御（電子機器ＳＥに対して入力）するものである。以降の説明においては、操作体ＦＩで操作した操作面１ａ上のＸ座標位置を検出した後、Ｙ座標位置を検出するものとし、操作体ＦＩが検知電極であるＸ軸電極線２ｂに近づいた場合の動作を説明する。
【００３８】
操作部材１、オーバーレイ部材４、およびセンサ部材２を介して、操作体ＦＩがＸ軸電極線２ｂに近づくと、図３に示すように、操作体ＦＩとＸ軸電極線２ｂとの間に静電容量Ｃｓが生成される。即ち、操作体ＦＩとＸ軸電極線２ｂとが静電結合し、操作体ＦＩを介して人体にアースされた状態となる。これにより、Ｘ軸電極線２ｂから操作体ＦＩにＣｓを介して電流が流れる。センサ部材２が有するＩＣにおいて、この電流の影響による電圧低下分を検出することで、操作体ＦＩが近づいたことを検知する。また、Ｘ座標位置を検出後、Ｙ軸電極線２ｃにおいても同様な検出を行いＹ軸座標位置を検出することで、操作体ＦＩで操作した操作面１ａ上の位置の座標を求めることができる。
【００３９】
なお、操作体ＦＩとＸ軸電極線２ｂとの静電結合は、操作体ＦＩがセンサ部材２に近づくほど密になり、離れるほど疎になる。静電結合が密であるほど検出の感度は高くなり、静電結合が疎であるほど検出の感度は低くなる。
【００４０】
このようにしてセンサ部材２が検出した座標データ（検出信号）を制御部３に発信し、制御部３でこの検出信号を解析し、その結果に沿って電子機器ＳＥに対して、例えば、カーソルを右に移動させる等の制御を行う。
【００４１】
次に、オーバーレイ部材４と操作部材１との離間距離ｗ（ｍｍ）を０．１（ｍｍ）に固定し、オーバーレイ部材４の板厚寸法ｔ（ｍｍ）を変えた場合の出力のバラツキを確認した検証実験の結果について、図６を用いて説明する。図６は、オーバーレイ部材４の板厚寸法ｔの違いによる出力のバラツキの違いを示すグラフであり、各実験条件ごとにグラフ内の『−』マーク同士の間で出力がばらついていることを示している。なお、各実験条件においてオーバーレイ部材４の板厚寸法ｔは、それぞれ表１に示すような寸法に設定している。また、オーバーレイ部材４がない場合（実験条件Ａ）についてもあわせて確認をしている。
【表１】
2013167939.tif 000003
【００４２】
図６に示すグラフから、オーバーレイ部材４と操作部材１との離間距離ｗを０．１（ｍｍ）に固定した場合には、オーバーレイ部材４の板厚寸法ｔが薄い実験条件よりも、厚い実験条件のほうが出力のバラツキが小さい事が分かる。したがって、実施に当たってのオーバーレイ部材４の板厚寸法ｔは、表１における実験条件Ｄ（ｔ＝０．８ｍｍ）または実験条件Ｅ（ｔ＝１．０ｍｍ）に近似した寸法が望ましい。また、表１における実験条件Ｄと実験条件Ｅとであってもまだ出力のバラツキがあるが、過敏過ぎず操作しやすい程度の出力のバラツキを有していると言える。
【００４３】
以下、本実施形態としたことによる効果について、図２および図７を用いて説明する。図７は、カバー部材ＣＯ１を異なるデザインのカバー部材ＣＯ２に交換した状態を示す図であり、図７（ａ）は電子機器ＳＥの初期状態を示す図であり、図７（ｂ）はカバー部材ＣＯ１を交換中の状態を示す図であり、図７（ｃ）は異なるデザインのカバー部材ＣＯ２に交換した状態の電子機器ＳＥを示す図である。
【００４４】
本実施形態の静電容量式入力装置１００では、筐体ＨＵとカバー部材ＣＯ１とを分離可能な電子機器ＳＥに取り付けられ、操作者が入力操作可能な操作面１ａを備えた操作部材１と、操作面１ａに対する入力操作に応じた静電容量値を検出する検出面２ａを有し、検出した静電容量値に応じた検出信号を出力可能なセンサ部材２と、検出信号に基づいて電子機器ＳＥを制御する制御部３を備え、操作部材１とセンサ部材２とが、操作面１ａを備えた面の裏面と検出面２ａとを対向させて配置された静電容量式入力装置において、操作部材１は、操作面１ａを電子機器ＳＥのカバー部材ＣＯ１の外表面ＯＦから露出してカバー部材ＣＯ１に取り付けられ、センサ部材２は、操作部材１から離間した状態で筐体ＨＵに配置され、操作部材１はカバー部材ＣＯ１とともにセンサ部材２から分離可能である構成とした。
【００４５】
これにより、図２に示すように、操作部材１を電子機器ＳＥのカバー部材ＣＯ１とともにセンサ部材２から分離可能としたことで、電子機器ＳＥに組み込まれた後に、ユーザー自身が静電容量式入力装置１００（センサ部材２）の機能を損なうことなく、操作部材１とともにカバー部材ＣＯ１を取り外すことが可能となった。したがって、電子機器ＳＥのユーザーは、電子機器ＳＥに元々取り付けられている図７（ａ）に示すようなデザインのカバー部材ＣＯ１を、図７（ｂ）に示すように、操作部材１を保持したまま筐体ＨＵから分離することができる。さらに、図７（ｃ）に示すように、例えば、別の操作部材１が取り付けられた好みのデザインのカバー部材ＣＯ２へ取り替えることが出来る。このように、静電容量式入力装置１００（センサ部材２）の機能を損なうことなく、ユーザー自身が電子部品ＳＥのカバー部材ＣＯ１を容易に交換可能である静電容量式入力装置を提供できるという効果を奏する。
【００４６】
また、これにより、操作面１ａを備えた面の裏面と検出面２ａとを離間させたことで、操作面１ａを備えた面の裏面と検出面２ａとを密着させた場合に比べて、操作面１ａにおける静電結合が密でないため、入力操作時の静電容量値の変化量が大きすぎず、過剰な反応がなくなり、入力操作がしやすくなるという効果を奏する。
【００４７】
また、操作面１ａを備えた面の裏面と検出面２ａとを密着させた場合には、入力操作による押圧力がセンサ部材２に加わることで検出誤差の発生が考えられるが、操作面１ａを備えた面の裏面と検出面２ａとを離間させ、操作部材１が撓む空間を設けることで入力操作による押圧力がセンサ部材２には伝わらず、より精度の良い入力操作をすることができるという効果を奏する。
【００４８】
また、本実施形態の静電容量式入力装置１００では、センサ部材２は、検出面２ａに積層して設けられたオーバーレイ部材４を備えるとともに、オーバーレイ部材４と操作部材１とは離間している構成とした。
【００４９】
これにより、静電容量値は空気の層の中では外部からの影響を受けて変動しやすいが、検出面２ａに積層してオーバーレイ部材４を配置することで、操作部材１と検出面２ａとの間の空気の層が小さくなるとともに、オーバーレイ部材４の内部では静電容量値は外部からの影響を受け難くなるため、外部からの影響による静電容量値の変動が小さくなり、より安定した入力操作が可能になるという効果を奏する。
【００５０】
また、これにより、操作部材１と検出面２ａとの間の空気の層を設けることで、入力操作による押圧力がセンサ部材２には伝わらず、より精度の良い入力操作をすることができるという効果を奏する。
【００５１】
また、本実施形態の静電容量式入力装置１００では、オーバーレイ部材４の厚さ寸法は均一である構成とした。
【００５２】
これにより、オーバーレイ部材４の厚さ寸法を均一にすることで、操作位置の違いによる操作部材１とオーバーレイ部材４との間にある空気の層の厚さ寸法のバラツキが小さくなり、より安定した入力操作が可能になるという効果を奏する。
【００５３】
［第２実施形態］
以下に第２実施形態における静電容量式入力装置２００について図４を用いて説明する。図４は第２実施形態の静電容量式入力装置２００を示す図である。なお、第１実施形態における静電容量式入力装置１００と共通の構成部品については、構成部品の附番は静電容量式入力装置１００に用いた附番と同じとし、詳細の説明は割愛する。
【００５４】
静電容量式入力装置２００は、図４に示すように、操作者が入力操作可能な操作面１ａを備えた操作部材１と、操作面１ａに対する入力操作に応じた静電容量値を検出する検出面２ａを有し、検出した静電容量値に応じた検出信号を出力可能なセンサ部材２と、検出信号に基づいて電子機器ＳＥを制御する制御部３と、センサ部材２の検出精度を安定させるオーバーレイ部材４と、柔軟性を備えた柔軟部材５とを有している。
【００５５】
柔軟部材５は、図４に示すように、例えば、シリコンのようなゲル状の材料からなり、柔軟性と粘着性を有したシート状に形成されている。
【００５６】
静電容量式入力装置２００は、図４に示すように、操作部材１とセンサ部材２とが、操作部材１の操作面１ａを備えた面の裏面とセンサ部材２の検出面２ａとを対向させて配置されている。また、操作部材１は、センサ部材２の機能を損なうことなく（センサ部材２と電子機器ＳＥとの電気的接続を切ることなく）センサ部材２から分離可能である。
【００５７】
オーバーレイ部材４は、操作部材１から離間してセンサ部材２の検出面２ａに積層して設けられており、粘着テープなどにより保持されている。
【００５８】
柔軟部材５はオーバーレイ部材４と操作部材１との間に配設されている。柔軟部材５はオーバーレイ部材４と操作部材１とに接触し、柔軟部材５のもつ粘着力により保持される。なお、柔軟部材５はオーバーレイ部材４および操作部材１から容易に剥がすことができる。
【００５９】
また、制御部３はセンサ部材２に並べて配置されるとともに、センサ部材２と制御部３とは検出信号を通信することが可能となるように接続されている。
【００６０】
なお、静電容量式入力装置２００は、静電容量式入力装置１００と同様に筐体ＨＵとカバー部材ＣＯ１とを分離可能な電子機器ＳＥに取り付けて使用される。
【００６１】
以下、本実施形態としたことによる効果について説明する。
【００６２】
また、本実施形態の静電容量式入力装置２００では、オーバーレイ部材４と操作部材１との間に柔軟性を備えた柔軟部材５を配設し、柔軟部材５がオーバーレイ部材４と操作部材１とに接触する構成とした。
【００６３】
これにより、柔軟性を備えた柔軟部材５をオーバーレイ部材４と操作部材１との間に、オーバーレイ部材４と操作部材１とに接触して配置することで、オーバーレイ部材４と操作部材１との間に空気の層がなくなる。また、入力操作による押圧力がセンサ部材２に伝わると、その押圧力の影響で検出誤差の発生が考えられるが、柔軟部材５は入力操作による操作部材１の撓みなどに対しても変形して追従することで、過大な押圧力がセンサ部材に伝わらない。したがって、操作性を妨げることなくさらに安定した入力操作が可能になるという効果を奏する。
【００６４】
また、本実施形態の静電容量式入力装置２００では、柔軟部材５はゲル状の材料で形成されている構成とした。
【００６５】
これにより、ゲル状の材料で形成することで柔軟部材５は粘着性を有し、その粘着性によって保持されるとともに、容易に剥がすことができるため、操作部材１が分離するのを妨げないという効果を奏する。
【００６６】
［第３実施形態］
以下に第３実施形態における静電容量式入力装置３００について図５を用いて説明する。図５は第３実施形態の静電容量式入力装置３００を示す図である。なお、第１実施形態における静電容量式入力装置１００または第２実施形態における静電容量式入力装置２００と共通の構成部品については、構成部品の附番は静電容量式入力装置１００または静電容量式入力装置２００に用いた附番と同じとし、詳細の説明は割愛する。
【００６７】
静電容量式入力装置３００は、図５に示すように、操作者が入力操作可能な操作面１ａを備えた操作部材１と、操作面１ａに対する入力操作に応じた静電容量値を検出する検出面２ａを有し、検出した静電容量値に応じた検出信号を出力可能なセンサ部材２と、検出信号に基づいて電子機器ＳＥを制御する制御部３と、柔軟性を備えた柔軟部材５とを有している。
【００６８】
静電容量式入力装置３００は、図５に示すように、操作部材１とセンサ部材２とが、操作部材１の操作面１ａを備えた面の裏面とセンサ部材２の検出面２ａとを対向させて配置されている。また、操作部材１は、センサ部材２の機能を損なうことなく（センサ部材２と電子機器ＳＥとの電気的接続を切ることなく）センサ部材２から分離可能である。
【００６９】
柔軟部材５はセンサ部材２と操作部材１との間に配設されている。柔軟部材５はセンサ部材２と操作部材１とに接触し、柔軟部材５のもつ粘着力により保持される。なお、柔軟部材５はセンサ部材２および操作部材１から容易に剥がすことができる。
【００７０】
また、制御部３はセンサ部材２に並べて配置されるとともに、センサ部材２と制御部３とは検出信号を通信することが可能となるように接続されている。
【００７１】
なお、静電容量式入力装置３００は、静電容量式入力装置１００および静電容量式入力装置２００と同様にして筐体ＨＵとカバー部材ＣＯ１とを分離可能な電子機器ＳＥに取り付けて使用される。
【００７２】
以下、本実施形態としたことによる効果について説明する。
【００７３】
また、本実施形態の静電容量式入力装置３００では、センサ部材２と操作部材１との間に柔軟性を備えた柔軟部材５を配設し、柔軟部材５がセンサ部材２と操作部材１とに接触する構成とした。
【００７４】
これにより、柔軟部材５をセンサ部材２と操作部材１との間に、センサ部材２と操作部材１とに接触して配置することで、センサ部材２と操作部材１との間に空気の層がなくなる。また、入力操作による押圧力がセンサ部材２に伝わると、その押圧力の影響で検出誤差の発生が考えられるが、柔軟部材５は入力操作による操作部材１の撓みなどに対しても変形して追従する。したがって、操作性を妨げることなくより安定した入力操作が可能になる、という効果を奏する。
【００７５】
以上のように、本発明の実施形態に係る静電容量式入力装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００７６】
（１）本実施形態において、Ｘ軸電極線２ｂとＹ軸電極線２ｃは、平面視したときに直交するとしたが、交わるのならば必ずしも直角でなくとも良い。
【００７７】
（２）本実施形態において、Ｘ軸電極線２ｂとＹ軸電極線２ｃは、センサ部材２に埋設されるとしているが、センサ部材２に直接印刷成形して良いし、また、別体で形成しても良い。
【００７８】
（３）本実施形態において、制御部３はセンサ部材２に並べて配置しているが、重ねて配置しても良く、センサ部材２と制御部３とを一体に形成しても良い。
【００７９】
（４）本実施形態において、カバー部材ＣＯと筐体ＨＵとが分離可能な電子機器ＳＥに取り付けられるとしたが、カバー部材ＣＯと筐体ＨＵとが分離できない電子機器に取り付けて使用しても良い。
【符号の説明】
【００８０】
１      操作部材
１ａ    操作面
２      センサ部材
２ａ    検出面
２ｂ    Ｘ軸電極線
２ｃ    Ｙ軸電極線
３      制御部
４      オーバーレイ部材
５      柔軟部材
１００  静電容量式入力装置
２００  静電容量式入力装置
３００  静電容量式入力装置
ＣＡ    カバー部材
ＦＩ    操作部材
ＨＵ    筐体
ＳＥ    電子機器
【図１】
2013167939.tif 000004
【図２】
2013167939.tif 000005
【図３】
2013167939.tif 000006
【図４】
2013167939.tif 000007
【図５】
2013167939.tif 000008
【図６】
2013167939.tif 000009
【図７】
2013167939.tif 000010
【図８】
2013167939.tif 000011